(57)【要約】【課題】舌の表面に付着した舌苔などを効率よく除去する為の舌苔除去具を提供する。嘔吐感なく一度の掻き取りで舌清掃を行う事が可能であり、更に集め取った舌苔を確実に除去具本体に回収し、口外に排出できることを可能にする。【解決手段】除去部を、中心の骨格より外方に複数条のリブと前記リブ間に溝を軸線方向に設けた異形断面形状の合成樹脂で形成する。また、口腔内を殺菌、洗浄などしながら舌清掃を行なうための薬剤をリブ間に含浸させる。【選択図】図１
2005270381.tif 000002
【特許請求の範囲】
【請求項１】
除去部が、中心の骨格より外方に複数条のリブと前記リブ間に溝を軸線方向に設けた異形断面形状の合成樹脂からなる舌苔除去具。
【請求項２】
口腔内を殺菌、洗浄などしながら舌清掃を行なうための薬剤をリブ間に含浸させたことを特徴とする請求項１記載の舌苔除去具。
【発明の詳細な説明】
【技術分野】
【０００１】
本発明は、舌の表面に付着した舌苔などを効率よく除去する為の舌苔除去具に関する。
【背景技術】
【０００２】
舌の表面には、食物の残渣や微生物による舌苔などの汚物が付着し易く、これが口臭や味覚欠如の原因となっている。そこで、従来では、専用のブラシやへらを用いて清掃を行っていた。
【０００３】
例えば、特許文献１には、握り部とクリーナ部とからなり、クリーナ部に、舌苔を剥離するブラシ部と、ブラシ部で剥離した舌苔を集め取るスキージ部とが設けられていることを特徴とする口内清掃具が開示されている。このような口内清掃具の場合、嘔吐感を避けるためクリーナ部を大きくする事が困難であり何度も掻き取る作業が必要となる。更に、集め取られた舌苔が、クリーナ部を舌から離す際垂れ落ちてしまう場合があり、快適且つ十分な清掃が出来ない。
【０００４】
特許文献２には、薄い細長い板で形成される本体の端を広くし、本体の片側中央部を湾曲に凹ませて刻み目を付け、端を重ね合わせて指で保持しながら中央部の刻み目を舌に当てて舌苔を除去することを特徴とする舌苔除去用へらが開示されている。このような舌苔除去用へらの場合、掻き取られた舌苔を回収する構造でない為、掻き取られた舌苔が、舌に残留したり、へらを舌から離す際垂れ落ちてしまう場合があり、快適且つ十分な清掃が出来ない。
【特許文献１】特開２００１−４５７号公報
【特許文献２】特開２００１−２５８９０９号公報
【発明の開示】
【発明が解決しようとする課題】
【０００５】
本発明は、嘔吐感なく一度の掻き取りで舌清掃を行う事が可能であり、更に、集め取った舌苔を確実に回収することが出来る舌苔除去具を提供することを目的とするものである。
【課題を解決するための手段】
【０００６】
本発明は、除去部が、中心の骨格より外方に複数条のリブと前記リブ間に溝を軸線方向に設けた異形断面形状の合成樹脂からなる舌苔除去具に関する。
【０００７】
また、口腔内を殺菌、洗浄などしながら舌清掃を行うための薬剤をリブ間に含浸させたことを特徴とする請求項１記載の舌苔除去具に関する。
【発明の効果】
【０００８】
請求項１により、除去部が、中心の骨格より外方に複数条のリブと前記リブ間に溝を軸線方向に設けた異形断面形状の合成樹脂で形成されているため、小径であるにもかかわらず、舌表面と当接する面積が大きく、一度にたくさんの量の舌苔を掻き取ることができる。しかも、既知の舌苔除去具は、厚みが大きいのに対して、本発明による舌苔除去具は、厚みが小さく嘔吐感を感じ難い。それゆえに一度の掻き取りで舌清掃を行う事が可能である。更に、溝部に集め取った舌苔を確実に回収し、口外に排出できる。また、舌表面と当接する面は丸みを帯びているので舌乳頭などを傷つけにくく、舌の敏感な人にもやさしい使いごごちを発揮する。
【０００９】
請求項２により、リブ間に薬剤を含浸させているため舌に薬剤を塗布しながら舌苔を除去することにより、口腔内を長時間にわたって清潔に保つことができる。
【発明を実施するための最良の形態】
【００１０】
本発明について、以下具体的に説明する。除去部の素材としては、合成樹脂の中でも比較的柔軟性がある、熱可塑性樹脂のポリプロピレン、ポリエステルエラストマーなどが良く、出願人が、開発した特許文献３に記載されている製造装置により成形することができる。
【特許文献３】特公昭５６−１７２４０号公報
【００１１】
具体的には、成形する除去部の横断面形状と相似形の整形開口部と、この整形開口部の後方のメルト流量調整孔を有するダイスから、溶融状態の溶融樹脂を、メルト流量調整孔で流量調整し且つ整形開口部で所要の横断面形状に整形して押し出し、所要の長さに切断して成形してある。 除去部の異形断面形状は任意であり、特定の横断面形状のものに制限されない。
【００１２】
除去部を衛生的に保つ為に、成形後に抗菌処理等を施しても良く、合成樹脂に抗菌剤等を練り込んで成形しても良い。除去部の外径は約０．３ｍｍ〜５ｍｍ程度が望ましい。あまり小径だと掻き取り効果が小さく、あまり大径だとしなりを調節できなくなるため、快適な使用が出来なくなり、嘔吐感が生じるおそれもある。
【００１３】
薬剤を含浸させて使用する場合、リブは舌苔を掻き取る機能と舌に薬剤を塗布する機能を満たし、溝は薬剤を含浸させる機能と舌苔を回収する機能を満たす。薬剤の成分としてチモール、サリチル酸メチル、メントールなどを含むことにより、口腔内に芳香性のにおい、はっかのような香気、清涼感等を長時間にわたって与えることが可能である。
【実施例１】
【００１４】
図１〜図４に、本発明の舌苔除去具の第１の実施の形態を示す。図１は第１の実施の形態に係る舌苔除去具の平面図であり１は除去部を表す。図２〜図４は図１中のＡ−Ａ線断面図の例であり、図２〜図４における２は骨格、３は舌苔を掻き取るリブ、４は舌苔を回収する溝を表す。骨格は図２のように中実であっても、図３のように中空であっても良い。
【００１５】
図１〜図６の除去部は、溶融状態のポリプロピレン樹脂をダイスから整形して、押し出し所要の長さに切断して成形してある。
【００１６】
第１の実施の形態の場合、図１の両端部を握り、中央部を舌の奥部に当接して、手前に掻き出すことにより、舌清掃を行う。図１のように湾曲させる事により、さらに、舌の奥部に容易に当接させることができ、口径より長いサイズとなるので誤飲の心配がなく介護者にも安心して使用可能である。
【００１７】
以上、本発明の実施の形態について説明したが、本発明はこれら実施の形態に限定されるものではなく、発明の趣旨に従って種々の変形が可能である。除去部は、１本であっても、小径の物を複数本束ねた態様で使用しても良く、除去部以外の部分については、例えば図１の両端部にグリップを設けたり、図５のように除去部の両端に柄部を設けその先に把持部を設けたり、図６のように図１の両端を１点で結びその先に把持部を設けたり、設計仕様に応じて自由に選択できるものである。
【産業上の利用可能性】
【００１８】
本発明は、嘔吐感がなく、一度の掻き取りで舌清掃を行なうことが出来るため、舌苔除去具として好適である。
【００１９】
本発明は口腔内を殺菌、洗浄などしながら舌清掃を行なうことが出来るため、舌苔除去具として好適である。
【図面の簡単な説明】
【００２０】
【図１】第１の実施の形態の舌苔除去具の平面図
【図２】図１中のＡ−Ａ線断面図例１
【図３】図１中のＡ−Ａ線断面図例２
【図４】図１中のＡ−Ａ線断面図例３
【図５】本発明の他の実施例による舌苔除去具の平面図
【図６】本発明のさらに他の実施例による舌苔除去具の平面図
【符号の説明】
【００２１】
１    除去部
２    骨格
３    リブ
４    溝
５    柄部
６    把持部
【図１】
2005270381.tif 000003
【図２】
2005270381.tif 000004
【図３】
2005270381.tif 000005
【図４】
2005270381.tif 000006
【図５】
2005270381.tif 000007
【図６】
2005270381.tif 000008